(57)【要約】      （修正有）【課題】太陽光発電設備において、発電効率を向上させるための太陽光を反射させるシートを提供する。【解決手段】シート６ａは、所定の間隔で設置された架台４ａ、４ｂ上にそれぞれ所定角度南向きに傾斜した状態で設置されたソーラーパネル１ａとソーラーパネル１ｅとの間に配置され、太陽光の反射面に金属蒸着樹脂膜、もしくは光沢性の樹脂膜を備えソーラーパネル１ａに太陽光を反射する機能を設けた。【選択図】図２
0003188832.tif 000002
【実用新案登録請求の範囲】
【請求項１】
所定の間隔で設置された２つの架台上にそれぞれ所定角度南向きに傾斜した状態で設置された第１の太陽光パネルと第２の太陽光パネルとの間に配置され、前記第１の太陽光パネルに太陽光を反射する機能を備えることを特徴とするシート。
【請求項２】
前記シートは、太陽光の反射面に金属蒸着樹脂膜を備える請求項１に記載のシート。
【請求項３】
前記シートは、樹脂製であり、前記反射面に鏡面加工された金属箔が張り合わされている請求項１に記載のシート。
【請求項４】
表面積が前記第１の太陽光パネルの表面積以上である請求項１に記載のシート。
【請求項５】
折り返されることにより前記第２の太陽光パネルに太陽光を反射する機能を備える請求項１ないし４のいずれかに記載のシート。
【請求項６】
所定の間隔で設置された２つの架台上にそれぞれ所定角度南向きに傾斜した状態で設置された第１の太陽光パネルと第２の太陽光パネルとの間に配置され、前記第１の太陽光パネルに太陽光を反射する機能を備えるシートと、
前記シートの曲面率を調整することにより前記第１の太陽光パネルへの反射する光量を調節する調節機構と、
を備えることを特徴とする光量調整装置。
【請求項７】
前記シートの巻き取り機構を備える請求項６に記載の光量調整装置。
【請求項８】
前記巻き取り機構は、フレームと前記シートの端部を前記フレームに固定するパッカーとを備える請求項７に記載の光量調整装置。
【請求項９】
太陽の位置に基づいて前記シートの曲面率を調節する請求項６ないし８のいずれかに記載の光量調整装置。
【考案の詳細な説明】
【技術分野】
【０００１】
本考案は太陽光を反射するシートおよび光量調整装置に関する。
【背景技術】
【０００２】
太陽光を受光するソーラーパネル（solar panel）を用いた太陽光発電システムが知られている。
発電量の大きな事業用の太陽光発電設備は、家庭用よりもソーラーパネルの設置面積が大きくなる。このため、屋根等に設置する家庭用とは異なり、地上にパイプ等で組まれた架台にソーラーパネルを載置することが知られている。
【先行技術文献】
【特許文献】
【０００３】
【特許文献１】特開２０１３−１７９１３１号公報
【考案の概要】
【考案が解決しようとする課題】
【０００４】
太陽光発電設備においてソーラーパネルを載置する架台は、ソーラーパネルの形状、設置枚数、設置場所の広さ、形状等に併せて設計される。例えば、多くの場合はソーラーパネルを載置した架台が複数列並行に設置される。
【０００５】
この場合、太陽の位置が低位（地面に近い位置）にある場合にも太陽光を受光することができるように、他の列のソーラーパネルが影にならないように架台の南側に所定の間隔が設けられている。
【０００６】
しかしながら、その間隔は太陽光照射の弱い太陽光の低位時に影を生じさせないため以外には発電には何ら寄与することがないため、間隔の有効利用が求められている。
１つの側面では、本考案は、発電効率を向上させることを目的とする。
【課題を解決するための手段】
【０００７】
上記目的を達成するために、開示のシートが提供される。このシートは、所定の間隔で設置された２つの架台上にそれぞれ所定角度南向きに傾斜した状態で設置された第１の太陽光パネルと第２の太陽光パネルとの間に配置され、第１の太陽光パネルに太陽光を反射する機能を備える。
【考案の効果】
【０００８】
１態様では、発電効率を向上させることができる。
【図面の簡単な説明】
【０００９】
【図１】実施の形態の太陽光発電システムを説明する正面図である。
【図２】実施の形態の太陽光発電システムを説明する側面図である。
【図３】シートの端部を説明する図である。
【図４】シートが巻き取り機構に巻き取られた状態を示す図である。
【図５】シートがソーラーパネルを覆う状態を示す図である。
【図６】制御部のハードウェア構成を示す図である。
【考案を実施するための形態】
【００１０】
以下、実施の形態の太陽光発電システムを、図面を参照して詳細に説明する。
＜実施の形態＞
図１は、実施の形態の太陽光発電システムを説明する正面図であり、図２は、実施の形態の太陽光発電システムを説明する側面図である。
実施の形態の太陽光発電システム１０は、矩形をなす複数のソーラーパネル１ａ〜１ｈと、パワーコンディショナー２ａ、２ｂと、照度センサ３と制御部４とを備えている。
【００１１】
ソーラーパネル１ａ〜１ｈは、それぞれ複数の太陽電池セルを組み合わせたパネルである。このような太陽電池セルには、アモルファスシリコン系や結晶シリコン系、あるいはこれらのハイブリッド（ＨＩＴ）型の太陽電池セルや、ＧａＡｓ、ＣＩＳ系等の化合物系太陽電池、有機系太陽電池を用いることができる。
【００１２】
本実施の形態では、１列が４枚からなるソーラーパネル１ａ〜１ｄが横方向に並べられて１列のユニットを形成している。同様に、１列が４枚からなるソーラーパネル１ｅ〜１ｈが横方向に並べられて１列のユニットを形成している。
【００１３】
ソーラーパネル１ａ〜１ｈそれぞれの幅は例えば２ｍであり、それぞれの長さは例えば４ｍである。また、ソーラーパネル１ａ〜１ｈそれぞれの定格出力は例えば１ｋｗである。例えば５０ｋｗの電力を得るためには、ソーラーパネルを２００枚配置することになる。この場合、図示していないが、例えば４０枚のソーラーパネルからなるソーラーパネルユニット群を５群配置する。
なお、ソーラーパネル１ａ〜１ｈそれぞれは、幅が１ｍ、長さが２ｍのパネルが２枚集められて形成される等、複数パネルの集合体であってもよい。
【００１４】
図２に示すように、ソーラーパネル１ａ〜１ｄそれぞれは、例えば、丘等の平坦な（凹凸のない）斜面に設置された架台４ａ上に斜面に対し所定角度南向きに傾斜した状態で載置されている。ソーラーパネル１ｅ〜１ｈそれぞれは、架台４ｂ上に斜面に対し所定角度南向きに傾斜した状態で載置されている。
【００１５】
架台４ａ、４ｂは、太陽の位置が低いときにソーラーパネル１ｅ〜１ｈがソーラーパネル１ａ〜１ｄ上に影を作らないように、斜面の傾斜に沿って所定の間隔（例えば２．５ｍ程度）を隔てて設置されている。架台４ａ、４ｂは、それぞれ金属製の複数のパイプを備え、これらのパイプが組み合わされることで、ソーラーパネル１ａ〜１ｈを支持している。例えば、ソーラーパネル１ａの下側の端部は、支柱４ａ１により支持されている。支柱４ａ１の高さは例えば０．２ｍ程度である。ソーラーパネル１ａの上側の端部は、支柱４ａ２により支持されている。支柱４ａ２の高さは例えば１．４ｍ程度である。また、支柱４ａ１、４ａ２間の長さは例えば４ｍ程度である。
【００１６】
また、ソーラーパネル１ｅの下側の端部は、支柱４ｂ１により支持されている。ソーラーパネル１ｅの上側の端部は、支柱４ｂ２により支持されている。また、架台４ｂから所定距離だけ離間した位置に支柱４ｃ１が設けられている。
ところで、ソーラーパネル１ａ〜１ｈそれぞれに対し１枚ずつシート６ａ〜６ｈが設けられている。
【００１７】
シート６ａ〜６ｈは、それぞれポリエチレン等の樹脂繊維と鏡面加工された金属反射薄膜を合わせた構造をなしている。これにより、防水性、可撓性、屈曲性および耐光性に優れる。鏡面反射膜としては、例えばステンレス薄膜や、アルミニウム蒸着膜等が挙げられる。
また、シート６ａ〜６ｈには、例えばタイベック（登録商標）等の太陽光を反射する機能を備える樹脂製のシートを用いてもよい。
【００１８】
シート６ａ〜６ｄの一端側は、シート６ａ〜６ｄを巻き取る機能を備える巻き取り機構５ａに取り付けられている。巻き取り機構５ａは、後述するジョイントにより支柱４ａ１に固定されている。シート６ｅ〜６ｈの一端側は、シート６ｅ〜６ｈを巻き取る機能を備える巻き取り機構５ｂに取り付けられている。巻き取り機構５ｂは、後述するジョイントにより支柱４ｂ１に固定されている。
以下、巻き取り機構５ａを例に説明する。
【００１９】
図１に示すように、巻き取り機構５ａは、金属製をなす筒状の複数の筒部５ａ１を有している。複数の筒部５ａ１の端部には各筒部５ａ１を回転可能に支持するジョイント（すべり軸受け）５ａ２が設けられている。各筒部５ａ１がジョイント５ａ２により接続されることで、各筒部５ａ１は、一体的な回転動作が可能になっている。
図１中、一番右側の筒部５ａ１の端部には、ジョイント５ａ２を介してクランク５ａ３が取り付けられている。
【００２０】
また、各筒部５ａ１には、シート６ａ〜６ｄそれぞれを筒部５ａ１に固定するパッカー（留め具）５ａ４が取り付けられている。パッカー５ａ４を用いることにより、シート６ａ〜６ｄを筒部５ａ１に容易に固定することができる。また、シート６ａ〜６ｄが破損した場合等の交換が容易になる。
なお、本実施の形態ではジョイント５ａ３を用いて複数の筒部５ａ１を接続したが、これに限らず、１つながりの筒部であってもよい。
なお、巻き取り機構５ｂも巻き取り機構５ａと同様の機能を備える筒部５ｂ１とジョイント５ｂ２とクランク５ｂ３とパッカー５ｂ４とを備えている。
【００２１】
シート６ａ〜６ｄと巻き取り機構５ａにより光量調整装置の主要部が形成される。また、シート６ｅ〜６ｈと巻き取り機構５ｂにより光量調整装置の主要部が形成される。
図２に示すように、支柱４ｂ２には、支持部７ｂが取り付けられている。
【００２２】
支持部７ｂは、支柱７ｂ１と、支柱７ｂ１の上端部に設けられシート６ａが覆い被さった状態でシート６ａを支持する筒状の複数の筒部７ｂ２とを有している。地面から筒部７ｂ２までの高さは、例えば２．１ｍｍ程度である。筒部７ｂ２をこの高さにすることにより、仮にソーラーパネル１ａに影を形成したとしても、影を形成する時刻は夕暮れ近くであるため、発電に与える影響は軽微である。
次に、シート６ａの端部を説明する。
【００２３】
図３は、シートの端部を説明する図である。
シート６ａの端部６ａ１には、筒部８ａが、パッカー８ｂにより取り付けられ固定されている。支柱７ｂ１には、筒部８ａを保持するフック７ｂ３が設けられている。
筒部７ｂ２は金属製をなしており、各筒部７ｂ２の端部には、筒部７ｂ２を回転可能に支持するジョイント７ｂ４が設けられている。
なお、支柱４ａ２に取り付けられた支持部７ａ、および支柱４ｃ１に取り付けられた支持部７ｃも支持部７ｂと同様の機能を備えている。
【００２４】
図４は、シートが巻き取り機構に巻き取られた状態を示す図である。以下、シート６ａ〜６ｄを例に、シートの使用方法を説明する。
ユーザは、例えばシート６ａ〜６ｄを使用する場合、筒部５ａ１の周りに巻き取られているシート６ａ〜６ｄをそれぞれ手動で引き出す。そして、引き出したシート６ａ〜６ｄを筒部７ｂ２に掛けるようにしてシート６ａ〜６ｄの端部に固定された筒部８ａをフック７ｂ３に引っかけることで、シート６ａ〜６ｄの端部をソーラーパネル１ｅ〜１ｈの上端部に配置する。以下、この位置を引き出し位置という。シート６ａ〜６ｄを引き出し位置に配置することにより、シート６ａ〜６ｄは、架台４ａと架台４ｂとの間の空間Ａ１（図２参照）を覆う位置に配置される。このとき、シート６ａ〜６ｄの一部が筒部５ａ１に巻き取られている状態であってもよいし、シート６ａ〜６ｄの全てが引き出された状態であってもよい。
以下、シート６ａを例に説明する。
【００２５】
図２に示すように、シート６ａが引き出された状態では、シート６ａの長手方向の端部６ａ１は、筒部８ａがフック７ｂ３に引っかけられて支持されることによりソーラーパネル１ｅの上端部に位置する。
【００２６】
以下の説明では、筒部７ｂ２を挟んで図２中右側のシート６ａをシート下部６ａ２と言う。また、筒部７ｂを挟んで図２中左側のシート６ａをシート上部６ａ３と言う。
【００２７】
引き出し位置にシート６ａを配置することにより、シート下部６ａ２が筒部８ａの重みにより、ほぼ垂直に垂れ下がる。これにより、シート下部６ａ２の表面に照射された太陽光の一部は、ソーラーパネル１ｅに反射する。これにより、ソーラーパネル１ｅへの照射量が増大し、発電効率を向上させることができる。
【００２８】
また、シート上部６ａ３の表面に照射された太陽光の一部は、ソーラーパネル１ａに反射する。これにより、ソーラーパネル１ａへの照射量が増大し、発電効率を向上させることができる。
【００２９】
また、図２では、シート上部６ａ３を張り詰めた状態を示しているが、太陽の位置（方位角）に応じてシート上部６ａ３に若干のたるみを持たせてシート上部６ａ３の曲面率を変えてもよい。たるみを持たせる方法としては、例えば、シート６ａの自重による方法が挙げられる。この場合、自重によりシート下部６ａ２が支持部７ｂからシート上部６ａ３側への落下を抑制するおもりをシート下部６ａ２の端部に付けるのが好ましい。
また、支柱４ｂ２に対して支柱７ｂ１が可動となることによりシート上部６ａ３の曲面率を変えてもよい。
【００３０】
ところで、引き出したシート６ａ〜６ｄを収納する場合には、ユーザがクランク５ａ３を把持して図１中矢印方向に回すことにより、シート６ａ〜６ｄが筒部５ａ１に巻き取られる。
【００３１】
パワーコンディショナー２ａ、２ｂは、それぞれソーラーパネル１ａ〜１ｈが発電した直流電力を、出力側が要求する交流電力に変換することができる。また、パワーコンディショナー２ａ、２ｂは、電力量計（図示せず）を備えている。電力量計の出力端子は制御部４に接続されている。
【００３２】
照度センサ３は、例えばソーラーパネル１ａ〜１ｈの近傍に取り付けられている。照度センサ３の出力端子は制御部４に接続されている。なお、照度センサの代わりに日射計を設けても良い。
【００３３】
制御部４は、パワーコンディショナー２ａ、２ｂに設けられた電力量計の電力量や、照度センサ３からの照度情報を受け取る。また、制御部４は、ソーラーパネル１ａ〜１ｈの温度情報などを収集するようにしてもよい。
【００３４】
制御部４は、収集した情報を制御部４に接続されるモニタ（後述）に表示することができる。また、制御部４は、収集した情報に基づいて、ソーラーパネル１ａ〜１ｈに何らかの異常が発生していないかどうかを監視する機能を備えている。例えば、制御部４は、照度情報および温度情報に基づいて、得られるであろう発電量を推定する。そして、制御部４は、推定された電力量をパワーコンディショナー２に設けられる電力量計から得られた電力量と対比する。そして、電力量計から得られた電力量が、推定した電力量に比べて所定の閾値以上（例えば１０％以上）低下している場合に、ソーラーパネル１ａ〜１ｈのいずれかに異常が発生したと判別する。また制御部４は、異常が検出されると、警告を発することもできる。
【００３５】
ところで、シート６ａそれぞれの表面積は、ソーラーパネル１ａ〜１ｈそれぞれの表面積と同じか、ソーラーパネル１ａ〜１ｈそれぞれの表面積より大きくするのが好ましい。これにより、ソーラーパネル１ａ〜１ｈを覆うことができる。
【００３６】
図５は、シートがソーラーパネルを覆う状態を示す図である。
例えばソーラーパネル１ｅをシート６ｅで覆う場合は、筒部８ａをフック７ｂ３に引っかける。これにより、ソーラーパネル１ｅ表面のほぼ全面がシート６ｅに密着する。
【００３７】
例えば、夜間や悪天候時にソーラーパネル１ａ〜１ｈそれぞれをシート６ａ〜６ｈで覆うことにより、強風や雹や積雪等によりソーラーパネル１ａ〜１ｈの表面が破損したり、汚濁したりすることを抑制することができる。また、ソーラーパネル１ａ〜１ｈをシート６ａ〜６ｈで覆う場合、外部に露出する側のシート６ａ〜６ｈの素材を耐候性に優れたものにするのが好ましい。
【００３８】
なお、図示していないが、シート６ａ〜６ｈの引き出し、および巻き取りをメカ機構を用いて行うようにしてもよい。そして、例えば降雨センサ等を用いて雨を検出したり、照度センサ３を用いて日照量が減少したりしたことを制御部４が検出すると、制御部４がメカ機構に指示することによりメカ機構が動作し、ソーラーパネル１ａ〜１ｈをシート６ａ〜６ｈで覆うようにしてもよい。
【００３９】
さらに、その後、雨を検出しなくなったり、日照量が増加したりしたことを制御部４が検出すると、制御部４がメカ機構に指示することによりメカ機構が動作し、シート６ａ〜６ｈを引き出し位置に配置するようにしてもよい。
次に、制御部４のハードウェア構成を説明する。
図６は、制御部のハードウェア構成を示す図である。
【００４０】
制御部４は、ＣＰＵ（Central Processing Unit）１０１によって装置全体が制御されている。ＣＰＵ１０１には、バス１０８を介してＲＡＭ（Random Access Memory）１０２と複数の周辺機器が接続されている。
【００４１】
ＲＡＭ１０２は、制御部４の主記憶装置として使用される。ＲＡＭ１０２には、ＣＰＵ１０１に実行させるＯＳ（Operating System）のプログラムやアプリケーションプログラムの少なくとも一部が一時的に格納される。また、ＲＡＭ１０２には、ＣＰＵ１０１による処理に使用する各種データが格納される。
【００４２】
バス１０８には、ハードディスクドライブ（ＨＤＤ:Hard Disk Drive）１０３、グラフィック処理装置１０４、入力インタフェース１０５、ドライブ装置１０６、および通信インタフェース１０７が接続されている。
【００４３】
ハードディスクドライブ１０３は、内蔵したディスクに対して、磁気的にデータの書き込みおよび読み出しを行う。ハードディスクドライブ１０３は、制御部４の二次記憶装置として使用される。ハードディスクドライブ１０３には、ＯＳのプログラム、アプリケーションプログラム、および各種データが格納される。なお、二次記憶装置としては、フラッシュメモリ等の半導体記憶装置を使用することもできる。
【００４４】
グラフィック処理装置１０４には、モニタ１０４ａが接続されている。グラフィック処理装置１０４は、ＣＰＵ１０１からの命令に従って、画像をモニタ１０４ａの画面に表示させる。モニタ１０４ａとしては、ＣＲＴ（Cathode Ray Tube）を用いた表示装置や、液晶表示装置等が挙げられる。
【００４５】
入力インタフェース１０５には、キーボード１０５ａとマウス１０５ｂとが接続されている。入力インタフェース１０５は、キーボード１０５ａやマウス１０５ｂから送られてくる信号をＣＰＵ１０１に送信する。なお、マウス１０５ｂは、ポインティングデバイスの一例であり、他のポインティングデバイスを使用することもできる。他のポインティングデバイスとしては、例えばタッチパネル、タブレット、タッチパッド、トラックボール等が挙げられる。
【００４６】
ドライブ装置１０６は、例えば、光の反射によって読み取り可能なようにデータが記録された光ディスクや、ＵＳＢ（Universal Serial Bus）メモリ等の持ち運び可能な記録媒体に記録されたデータの読み取りを行う。例えば、ドライブ装置１０６が光学ドライブ装置である場合、レーザ光等を利用して、光ディスク２００に記録されたデータの読み取りを行う。光ディスク２００には、Ｂｌｕ−ｒａｙ（登録商標）、ＤＶＤ（Digital Versatile Disc）、ＤＶＤ−ＲＡＭ、ＣＤ−ＲＯＭ（Compact Disc Read Only Memory）、ＣＤ−Ｒ（Recordable）／ＲＷ（ReWritable）等が挙げられる。
【００４７】
通信インタフェース１０７は、ネットワーク５０に接続されている。通信インタフェース１０７は、ネットワーク５０を介して、他のコンピュータまたは通信機器との間でデータを送受信する。
以上のようなハードウェア構成によって、本実施の形態の処理機能を実現することができる。
【００４８】
以上述べたように、実施の形態の太陽光発電システム１０によれば、架台４ａ、４ｂ間にシート６ａ〜６ｄを設けることにより、ソーラーパネル１ａ〜１ｈへの太陽光の照射量を増加させるようにした。具体的には、シート下部６ａ２の表面に照射された太陽光の一部は、ソーラーパネル１ｅに反射する。これにより、ソーラーパネル１ｅへの照射量が増大し、発電効率を向上させることができる。
【００４９】
また、シート上部６ａ３の表面に照射された太陽光の一部は、ソーラーパネル１ａに反射する。これにより、ソーラーパネル１ａへの照射量が増大し、発電効率を向上させることができる。
また、シート６ａ〜６ｈを適度にたるませることによりソーラーパネル１ａ〜１ｈへの照射量を増加させることができる。
【００５０】
また、巻き取り機構５ａ、５ｂを設け、必要に応じてシート６ａ〜６ｈを巻き取ることにより、例えばソーラーパネル１ａ〜１ｄとソーラーパネル１ｅ〜１ｈに設けられた隙間を歩行する際にシート６ａ〜６ｄが歩行の邪魔になることを回避することができる。
【００５１】
なお、本実施の形態では、手動でシート６ａ〜６ｈを引き出したり巻き取ったりする場合を例に説明したが、シート６ａ〜６ｈの引き出しや巻き取りを自動化するようにしてもよい。これにより、ソーラーパネル１ａ〜１ｈの発電効率をさらに高めることができる場合がある。具体的には、季節によって太陽の位置が予め決まっている。このため、太陽の位置や日時等に応じてソーラーパネル１ａ〜１ｈにより多くの光量が反射するようにシート６ａ〜６ｈのたるみの量をハードディスク１０３に予め記憶させておく。シート６ａ〜６ｈのたるみの量は、例えばシート６ａ〜６ｈを引き出す長さにて決定することができる。そして、一定時間（例えば３０分）おきに、たるみの量を微調整する。あるいは、太陽の位置を予め制御部４に記憶させておき、どのようにシート６ａ〜６ｈをたるませればよいのかを制御部４が計算により求めるようにしてもよい。
【００５２】
これにより、シート６ａ〜６ｈからソーラーパネル１ａ〜１ｈに反射する光量が変わり、ソーラーパネル１ａ〜１ｈに照射される太陽光の光量を増加させることができる。
【００５３】
さらに、実際の電力量に応じて制御部４がシート６ａ〜６ｈのたるみの量を微調整するようにしてもよい。具体的には、ハードディスク１０３に記憶されたたるみの量だけシート６ａ〜６ｈをたるませた後に、たるみの量を若干変えて電力量計の数値の変化を読み取る。数値が上昇すれば変えたたるみの量のままにしておき、数値が下降した場合は、たるみの量を戻す。
また、本実施の形態では、支柱４ｃ１を図示したが、これに限らず、南側に位置する支柱に関してはフェンス等で代用してもよい。
【００５４】
また、本実施の形態ではフックの数は１つ（フック７ｂ３）としたが、これに限らず、例えば支柱７ｂ１の長手方向に沿ってフックを複数個設けるようにしてもよい。そして、筒部８ａを掛けるフックを変えることにより、シートを斜めがけする等、シートの向きを任意に変えてソーラーパネルへの照射量を増加できる可能性を高めることができる。
【００５５】
以上、本考案のシートおよび光量調整装置を、図示の実施の形態に基づいて説明したが、本考案はこれに限定されるものではなく、各部の構成は、同様の機能を有する任意の構成のものに置換することができる。また、本考案に、他の任意の構成物や工程が付加されていてもよい。
【００５６】
また、本実施の形態では、本考案のシートおよび光量調整装置を、地上設置太陽光発電に用いる場合を説明した。しかし、これに限らず、工場の屋根等、架台が並行に配置されている場合にも本考案を適用することができる。
【符号の説明】
【００５７】
１ａ〜１ｈ  ソーラーパネル
２ａ、２ｂ  パワーコンディショナー
３  照度センサ
４  制御部
４ａ、４ｂ  架台
５ａ、５ｂ  巻き取り機構
６ａ〜６ｈ  シート
７ａ〜７ｃ  支持部
【図１】
0003188832.tif 000003
【図２】
0003188832.tif 000004
【図３】
0003188832.tif 000005
【図４】
0003188832.tif 000006
【図５】
0003188832.tif 000007
【図６】
0003188832.tif 000008
【手続補正書】
【提出日】平成25年11月29日(2013.11.29)
【手続補正１】
【補正対象書類名】実用新案登録請求の範囲
【補正対象項目名】全文
【補正方法】変更
【補正の内容】
【実用新案登録請求の範囲】
【請求項１】
所定の間隔で設置された２つの架台上にそれぞれ所定角度南向きに傾斜した状態で設置された第１の太陽光パネルと第２の太陽光パネルとの間に配置され、太陽光の反射面に金属蒸着樹脂膜、もしくは光沢性の樹脂膜を備え前記第１の太陽光パネルに太陽光を反射することを特徴とするシート。
【請求項２】
所定の間隔で設置された２つの架台上にそれぞれ所定角度南向きに傾斜した状態で設置された第１の太陽光パネルと第２の太陽光パネルとの間に配置され、樹脂製であり、前記反射面に鏡面加工された金属箔が張り合わされ前記第１の太陽光パネルに太陽光を反射することを特徴とするシート。
【請求項３】
表面積が前記第１の太陽光パネルの表面積以上で、パネル保護として前記第１の太陽光パネルを覆う請求項１に記載のシート。
【請求項４】
前記第１の太陽光パネルと第２の太陽光パネルとの間に支柱が配置されており、前記支柱を介して一部が折り返されることにより前記第２の太陽光パネルに太陽光を反射する位置に配置される請求項１に記載のシート。
【請求項５】
所定の間隔で設置された２つの架台上にそれぞれ所定角度南向きに傾斜した状態で設置された第１の太陽光パネルと第２の太陽光パネルとの間に配置され、太陽光の反射面に金属蒸着樹脂膜、もしくは光沢性の樹脂膜を備え前記第１の太陽光パネルに太陽光を反射するシートと、
前記シートを張り詰めた状態もしくはたるみをもたせる状態を保つ機構と、
を備えることを特徴とする光量調整装置。
【請求項６】
前記シートの巻き取り機構を備える請求項５に記載の光量調整装置。
【請求項７】
前記巻き取り機構は、フレームと前記シートの端部を前記フレームに固定するパッカーとを備える請求項６に記載の光量調整装置。
【手続補正２】
【補正対象書類名】明細書
【補正対象項目名】０００７
【補正方法】変更
【補正の内容】
【０００７】
上記目的を達成するために、開示のシートが提供される。このシートは、所定の間隔で設置された２つの架台上にそれぞれ所定角度南向きに傾斜した状態で設置された第１の太陽光パネルと第２の太陽光パネルとの間に配置され、太陽光の反射面に金属蒸着樹脂膜、もしくは光沢性の樹脂膜を備え第１の太陽光パネルに太陽光を反射する。